(57)【特許請求の範囲】
【請求項１】
枠体内に障子を開閉自在に納め、前記枠体は上下枠と左右の縦枠とを方形状に枠組みしてなり、前記障子は上下框と左右の縦框とを方形状に框組みした框体にパネル体を納めてなると共に、吊り元側となる上下左右いずれかの端縁に沿った回動軸を中心として前記枠体に回動自在に支持されてなるサッシにおいて、
互いに対向する前記枠体の内周面と前記框体の外周面の間には、吊り元側辺と、該吊り元側辺と直交する二辺に、それぞれ短尺状の反り抑制部が設けられ、該反り抑制部は、前記障子の開閉に干渉しないように形成されると共に、前記框体を構成する框材が対向する前記枠体の内周面に接近したときに、前記框材の室外側への反りを抑制すると共に、前記框材を室内側に引き寄せることを特徴とするサッシ。
【請求項２】
前記枠体の内周面に小片状の反り抑制部品が設けられ、該反り抑制部品は前記枠体の内周面に対する固定部と、該固定部から内周側に向かって突出する前記反り抑制部を有してなることを特徴とする請求項１記載のサッシ。
【請求項３】
枠体内に障子を開閉自在に納め、前記枠体は上下枠と左右の縦枠とを方形状に枠組みしてなり、前記障子は上下框と左右の縦框とを方形状に框組みした框体にパネル体を納めてなると共に、吊り元側となる上下左右いずれかの端縁に沿った回動軸を中心として前記枠体に回動自在に支持されてなるサッシにおいて、
互いに対向する前記枠体の内周面と前記框体の外周面の間には、吊り元側辺と、該吊り元側辺と直交する二辺に、それぞれ短尺状の反り抑制部が設けられ、該反り抑制部は、前記障子の開閉に干渉しないように形成されると共に、前記框体を構成する框材が対向する前記枠体の内周面に接近したときに、前記框材の室外側への反りを抑制し、
前記枠体の内周面に小片状の反り抑制部品が設けられ、該反り抑制部品は前記枠体の内周面に対する固定部と、該固定部から内周側に向かって突出する前記反り抑制部を有し、
前記反り抑制部は、根元側から先端側にかけて室外側に向かう傾斜面状に形成されると共に、対向する前記框体の外周面に形成される突出部と対向することを特徴とするサッシ。
【請求項４】
前記框体の外周面に小片状の反り抑制部品が設けられ、該反り抑制部品は前記框体の外周面に対する固定部と、該固定部から外周側に向かって突出する前記反り抑制部を有してなることを特徴とする請求項１記載のサッシ。
【請求項５】
枠体内に障子を開閉自在に納め、前記枠体は上下枠と左右の縦枠とを方形状に枠組みしてなり、前記障子は上下框と左右の縦框とを方形状に框組みした框体にパネル体を納めてなると共に、吊り元側となる上下左右いずれかの端縁に沿った回動軸を中心として前記枠体に回動自在に支持されてなるサッシにおいて、
互いに対向する前記枠体の内周面と前記框体の外周面の間には、吊り元側辺と、該吊り元側辺と直交する二辺に、それぞれ短尺状の反り抑制部が設けられ、該反り抑制部は、前記障子の開閉に干渉しないように形成されると共に、前記框体を構成する框材が対向する前記枠体の内周面に接近したときに、前記框材の室外側への反りを抑制し、
前記框体の外周面に小片状の反り抑制部品が設けられ、該反り抑制部品は前記框体の外周面に対する固定部と、該固定部から外周側に向かって突出する前記反り抑制部を有し、
前記反り抑制部は、根元側から先端側にかけて室内側に向かう傾斜面状に形成されると共に、対向する前記枠体の内周面に形成される突出部と対向することを特徴とするサッシ。
【請求項６】
枠体内に障子を開閉自在に納め、前記枠体は上下枠と左右の縦枠とを方形状に枠組みしてなり、前記障子は上下框と左右の縦框とを方形状に框組みした框体にパネル体を納めてなると共に、吊り元側となる上下左右いずれかの端縁に沿った回動軸を中心として前記枠体に回動自在に支持されてなるサッシにおいて、
互いに対向する前記枠体の内周面と前記框体の外周面の間には、吊り元側辺と、該吊り元側辺と直交する二辺に、それぞれ短尺状の反り抑制部が設けられ、該反り抑制部は、前記障子の開閉に干渉しないように形成されると共に、前記框体を構成する框材が対向する前記枠体の内周面に接近したときに、前記框材の室外側への反りを抑制し、
前記枠体の吊り元側辺と直交する二辺には、前記框体の戸先側辺を構成する框材の両端部とそれぞれ対向する位置に戸先反り抑制部が設けられ、該戸先反り抑制部は、根元側から先端側にかけて室外側に向かう傾斜面状に形成されると共に、対向する前記框体の戸先側辺を構成する框材を構成する壁部と対向することを特徴とするサッシ。
【発明の詳細な説明】
【技術分野】
【０００１】
本発明は、建物開口部に設けられる枠体内に障子を開閉自在に納めたサッシに関し、特に火災発生時に高温に晒されても枠体と障子の位置関係を保つことで隙間を発生させないようにしたサッシに関する。
【背景技術】
【０００２】
建物開口部に設けられるサッシにおいて、枠体内に障子を開閉自在に納めて構成した開き窓サッシが広く用いられている。開き窓サッシとしては、例えば障子のいずれかの端縁を吊り元側とし、この吊り元側の端縁と対向する端縁を戸先側として、障子が枠体に対して回動自在となるように支持されてなる辷り出し窓サッシなどがある。このような開き窓サッシにおいては、火災が発生した場合にも、一定時間以上、閉塞状態を維持する防火性能が求められる。防火性能を十分に確保するためには、サッシが高温に晒されたとしても、サッシを構成する枠体と障子との位置関係をそのままに保つことで、枠体と障子の間に隙間を生じさせないようにすることが重要である。
【０００３】
アルミニウムを用いたサッシにおいては、火災時に火炎を受けることにより、熱伸びが生じると共に、加熱された側に向かって反りが生じる。開き窓サッシでは、障子の戸先側に締まり金具が設けられて、障子を閉塞した際にこれを室内側に引き寄せるようになっているため、戸先側については反りを抑えることができるが、吊り元側については反りを抑制することができない。このため、吊り元側にも反りを抑制する機構を設けたものが知られている。このような建具が特許文献１に開示されている。
【先行技術文献】
【特許文献】
【０００４】
【特許文献１】特開２００８−１０６５６８号公報
【発明の概要】
【発明が解決しようとする課題】
【０００５】
しかし、従来のサッシでは、締まり金具の位置や数によっては、熱伸びに伴う反りを十分に規制できないことがあり、枠体と障子の間に隙間を生じて、空気や火炎がサッシを貫通する可能性があった。したがって、火災発生時の反りを低コストかつ確実に抑えることが望まれていた。
【０００６】
本発明は前記課題を鑑みてなされたものであり、火災発生時の反りを低コストかつ確実に抑えることのできるサッシを提供することを目的とする。
【課題を解決するための手段】
【０００７】
前記課題を解決するため、本発明に係るサッシは、枠体内に障子を開閉自在に納め、前記枠体は上下枠と左右の縦枠とを方形状に枠組みしてなり、前記障子は上下框と左右の縦框とを方形状に框組みした框体にパネル体を納めてなると共に、吊り元側となる上下左右いずれかの端縁に沿った回動軸を中心として前記枠体に回動自在に支持されてなるサッシにおいて、
互いに対向する前記枠体の内周面と前記框体の外周面の間には、吊り元側辺と、該吊り元側辺と直交する二辺に、それぞれ短尺状の反り抑制部が設けられ、該反り抑制部は、前記障子の開閉に干渉しないように形成されると共に、前記框体を構成する框材が対向する前記枠体の内周面に接近したときに、前記框材の室外側への反りを抑制すると共に、前記框材を室内側に引き寄せることを特徴として構成されている。
【０００８】
また、本発明に係るサッシは、前記枠体の内周面に小片状の反り抑制部品が設けられ、該反り抑制部品は前記枠体の内周面に対する固定部と、該固定部から内周側に向かって突出する前記反り抑制部を有してなることを特徴として構成されている。
【０００９】
さらに、本発明に係るサッシは、枠体内に障子を開閉自在に納め、前記枠体は上下枠と左右の縦枠とを方形状に枠組みしてなり、前記障子は上下框と左右の縦框とを方形状に框組みした框体にパネル体を納めてなると共に、吊り元側となる上下左右いずれかの端縁に沿った回動軸を中心として前記枠体に回動自在に支持されてなるサッシにおいて、
互いに対向する前記枠体の内周面と前記框体の外周面の間には、吊り元側辺と、該吊り元側辺と直交する二辺に、それぞれ短尺状の反り抑制部が設けられ、該反り抑制部は、前記障子の開閉に干渉しないように形成されると共に、前記框体を構成する框材が対向する前記枠体の内周面に接近したときに、前記框材の室外側への反りを抑制し、
前記枠体の内周面に小片状の反り抑制部品が設けられ、該反り抑制部品は前記枠体の内周面に対する固定部と、該固定部から内周側に向かって突出する前記反り抑制部を有し、
前記反り抑制部は、根元側から先端側にかけて室外側に向かう傾斜面状に形成されると共に、対向する前記框体の外周面に形成される突出部と対向することを特徴として構成されている。
【００１０】
さらにまた、本発明に係るサッシは、前記框体の外周面に小片状の反り抑制部品が設けられ、該反り抑制部品は前記框体の外周面に対する固定部と、該固定部から外周側に向かって突出する前記反り抑制部を有してなることを特徴として構成されている。
【００１１】
そして、本発明に係るサッシは、枠体内に障子を開閉自在に納め、前記枠体は上下枠と左右の縦枠とを方形状に枠組みしてなり、前記障子は上下框と左右の縦框とを方形状に框組みした框体にパネル体を納めてなると共に、吊り元側となる上下左右いずれかの端縁に沿った回動軸を中心として前記枠体に回動自在に支持されてなるサッシにおいて、
互いに対向する前記枠体の内周面と前記框体の外周面の間には、吊り元側辺と、該吊り元側辺と直交する二辺に、それぞれ短尺状の反り抑制部が設けられ、該反り抑制部は、前記障子の開閉に干渉しないように形成されると共に、前記框体を構成する框材が対向する前記枠体の内周面に接近したときに、前記框材の室外側への反りを抑制し、
前記框体の外周面に小片状の反り抑制部品が設けられ、該反り抑制部品は前記框体の外周面に対する固定部と、該固定部から外周側に向かって突出する前記反り抑制部を有し、
前記反り抑制部は、根元側から先端側にかけて室内側に向かう傾斜面状に形成されると共に、対向する前記枠体の内周面に形成される突出部と対向することを特徴として構成されている。
【００１２】
また、本発明に係るサッシは、枠体内に障子を開閉自在に納め、前記枠体は上下枠と左右の縦枠とを方形状に枠組みしてなり、前記障子は上下框と左右の縦框とを方形状に框組みした框体にパネル体を納めてなると共に、吊り元側となる上下左右いずれかの端縁に沿った回動軸を中心として前記枠体に回動自在に支持されてなるサッシにおいて、
互いに対向する前記枠体の内周面と前記框体の外周面の間には、吊り元側辺と、該吊り元側辺と直交する二辺に、それぞれ短尺状の反り抑制部が設けられ、該反り抑制部は、前記障子の開閉に干渉しないように形成されると共に、前記框体を構成する框材が対向する前記枠体の内周面に接近したときに、前記框材の室外側への反りを抑制し、
前記枠体の吊り元側辺と直交する二辺には、前記框体の戸先側辺を構成する框材の両端部とそれぞれ対向する位置に戸先反り抑制部が設けられ、該戸先反り抑制部は、根元側から先端側にかけて室外側に向かう傾斜面状に形成されると共に、対向する前記框体の戸先側辺を構成する框材を構成する壁部と対向することを特徴として構成されている。
【発明の効果】
【００１３】
本発明に係るサッシによれば、互いに対向する前記枠体の内周面と前記框体の外周面の間には、吊り元側辺と、吊り元側辺と直交する二辺に、それぞれ短尺状の反り抑制部が設けられ、反り抑制部は、障子の開閉に干渉しないように形成されると共に、框体を構成する框材が対向する枠体の内周面に接近したときに、框材の室外側への反りを抑制することにより、障子の戸先側辺だけでなく全ての辺において、熱伸びに伴う反りを防止することができ、枠体と障子の間に隙間が生じることを防止して防火性能を向上させることができる。
【００１４】
また、本発明に係るサッシによれば、枠体の内周面に小片状の反り抑制部品が設けられ、反り抑制部品は枠体の内周面に対する固定部と、固定部から内周側に向かって突出する反り抑制部を有してなることにより、枠体に小片状の反り抑制部品を取付けるだけで反り抑制部を構成できるから、低コストに防火性能を向上させることができる。
【００１５】
さらに、本発明に係るサッシによれば、反り抑制部は、根元側から先端側にかけて室外側に向かう傾斜面状に形成されると共に、対向する框体の外周面に形成される突出部と対向することにより、突出部が反り抑制部に突き当たることにより、框体が確実に室内側に引き寄せられ、隙間の発生をより確実に防止することができる。
【００１６】
さらにまた、本発明に係るサッシによれば、框体の外周面に小片状の反り抑制部品が設けられ、反り抑制部品は框体の外周面に対する固定部と、固定部から外周側に向かって突出する反り抑制部を有してなることにより、框体に小片状の反り抑制部品を取付けるだけで反り抑制部を構成できるから、低コストに防火性能を向上させることができる。
【００１７】
そして、本発明に係るサッシによれば、反り抑制部は、根元側から先端側にかけて室内側に向かう傾斜面状に形成されると共に、対向する枠体の内周面に形成される突出部と対向することにより、反り抑制部が突出部に突き当たることにより、框体が確実に室内側に引き寄せられ、隙間の発生をより確実に防止することができる。
【００１８】
また、本発明に係るサッシによれば、枠体の吊り元側辺と直交する二辺には、框体の戸先側辺を構成する框材の両端部とそれぞれ対向する位置に戸先反り抑制部が設けられ、戸先反り抑制部は、根元側から先端側にかけて室外側に向かう傾斜面状に形成されると共に、対向する框体の戸先側辺を構成する框材を構成する壁部と対向することにより、框体の戸先側コーナー部分において反りを抑制できるから、より効果的に反りの抑制をなすことができる。
【図面の簡単な説明】
【００１９】
【図１】本実施形態におけるサッシの正面図である。
【図２】サッシの縦断面図である。
【図３】サッシの横断面図である。
【図４】上枠中央部の拡大縦断面図である。
【図５】火災発生時の状態における上枠中央部の拡大縦断面図である。
【図６】上枠端部の拡大縦断面図である。
【図７】下枠中央部の拡大縦断面図である。
【図８】火災発生時の状態における下枠中央部の拡大縦断面図である。
【図９】下枠端部の拡大縦断面図である。
【図１０】吊り元側縦枠付近拡大横断面図である。
【図１１】火災発生時の状態における吊り元側縦枠付近拡大横断面図である。
【発明を実施するための形態】
【００２０】
本発明の実施形態について図面に沿って詳細に説明する。図１には、本実施形態におけるサッシの正面図を示している。この図に示すように、本実施形態のサッシは、上枠１０と下枠１１、吊り元側縦枠１２及び戸先側縦枠１３とを方形状に枠組みしてなる枠体１内に、上框２０と下框２１、吊り元側縦框２２及び戸先側縦框２３とを方形状に框組みしてなる框体３内に、ガラス板からなるパネル体４を納めてなる障子２を開閉自在に納めて構成されている。
【００２１】
本実施形態のサッシは、図１中左側の縦辺を吊り元側、右側の縦辺を戸先側として、障子２の吊り元側の端縁に沿った回動軸を中心として、障子２が開閉自在となるように枠体１に支持された縦辷り出し窓サッシである。障子２の戸先側縦框２３には、ハンドル５が設けられており、このハンドル５を持って障子２を開閉させることができると共に、障子２が閉じた状態でハンドル５を回動操作することにより、障子２を枠体１に対してロック、あるいはロック解除することができる。
【００２２】
図２にはサッシの縦断面図を、図３にはサッシの横断面図を、それぞれ示している。枠体１を構成する上枠１０は、上框２０と対向する内周面部１０ａを備え、内周面部１０ａの吊り元側端部には、障子２を回動自在に支持する回動軸部品６が設けられている。また、内周面部１０ａの室内側寄りには、内周側に向かって突出する室内起立面部１０ｂが形成されている。室内起立面部１０ｂの下端部は上框２０の室内側面と対向しており、この位置に気密材１０ｃが設けられて上框２０に対して当接する。
【００２３】
枠体１を構成する下枠１１は、下框２１と対向する内周面部１１ａを備え、内周面部１１ａの吊り元側端部には、上枠１０と同様に障子２を回動自在に支持する回動軸部品６が設けられている。また、内周面部１１ａの室内端部には、室内起立面部１１ｂが形成されており、その上端部は下框２１の室内側面と対向しており、この位置に気密材１１ｃが設けられて下框２１に対して当接する。さらに、内周面部１１ａの室内外中間位置には、断面略Ｌ字状に立ち上がる突出部１１ｄが形成されている。
【００２４】
枠体１を構成する吊り元側縦枠１２は、吊り元側縦框２２と対向する内周面部１２ａを備え、内周面部１２ａの室内側寄りには、内周側に向かって突出する室内起立面部１２ｂが形成されている。室内起立面部１２ｂの先端部は、吊り元側縦框２２の室内側面と対向しており、この位置に気密材１２ｃが設けられて吊り元側縦框２２に対して当接する。
【００２５】
枠体１を構成する戸先側縦枠１３は、戸先側縦框２３と対向する内周面部１３ａを備え、内周面部１３ａの室内側寄りには、内周側に向かって突出する室内起立面部１３ｂが形成されている。室内起立面部１３ｂの先端部は、戸先側縦框２３の室内側面と対向しており、この位置に気密材１３ｃが設けられて戸先側縦框２３に対して当接する。また、戸先側縦枠１３には、締まり部品１３ｄが設けられる。締まり部品１３ｄは、図１に示されているように、戸先側縦枠１３の長手方向に沿って３か所に設けられている。
【００２６】
框体３を構成する上框２０は、内周側にパネル体４の上辺を保持するパネル体収納部２０ａを備え、外周側には上枠１０の内周面と対向する外周面部２０ｂを備えている。外周面部２０ｂの室内端部には、外周側に向かって突出する突出部２０ｃが形成されている。突出部２０ｃは、上框２０の室内側面上端部を構成すると共に、上枠１０の室内起立面部１０ｂと対向して、気密材１０ｃが当接される。
【００２７】
框体３を構成する下框２１は、内周側にパネル体４の上辺を保持するパネル体収納部２１ａを備え、外周側には下枠１１の内周面と対向する外周面部２１ｂを備えている。外周面部２１ｂの室内端部には、外周側に向かって突出する突出部２１ｃが形成されている。突出部２１ｃは、下框２１の室内側面下端部を構成すると共に、下枠１１の室内起立面部１１ｂと対向して、気密材１１ｃが当接される。
【００２８】
框体３を構成する吊り元側縦框２２は、内周側にパネル体４の縦辺を保持するパネル体収納部２２ａを備え、外周側には吊り元側縦枠１２の内周面と対向する外周面部２２ｂを備えている。外周面部２２ｂの室内端部には、外周側に向かって突出する突出部２２ｃが形成されている。突出部２２ｃは、吊り元側縦框２２の室内側面外周端部を構成すると共に、吊り元側縦枠１２の室内起立面部１２ｂと対向して、気密材１２ｃが当接される。
【００２９】
框体３を構成する戸先側縦框２３は、内周側にパネル体４の縦辺を保持するパネル体収納部２３ａを備え、外周側には戸先側縦枠１３の内周面と対向する外周面部２３ｂを備えている。また、戸先側縦框２３には、前述のようにハンドル５が設けられており、ハンドル５は戸先側縦框２３の中空内部に設けられる連係機構２３ｃと連係している。連係機構２３ｃは、ハンドルの回動に伴い戸先側縦框２３の外周面部２３ｂから出没自在な出没部２３ｄを備えている。
【００３０】
連係機構２３ｃは、図１に示すように長手方向に沿って伸びる長尺連係部２３ｅを有しており、長尺連係部２３ｅの長手方向３か所に出没部２３ｄが設けられている。出没部２３ｄは、ハンドル５に隣接する位置に設けられているものは、鎌形状を有していて締まり部品１３ｄに対して係脱自在となっている。また、出没部２３ｄのうちハンドル５から上下に離れた位置に設けられているものは、ピン形状を有していて締まり部品１３ｄに対して係脱自在となっている。それぞれの出没部２３ｄは、戸先側縦枠１３の締まり部品１３ｄと対向する位置に配置されており、ハンドル５を操作して出没部２３ｄが戸先側縦框２３から突出することにより、各出没部２３ｄがそれぞれ締まり部品１３ｄに対して係止され、障子２を閉じた際にこれをロックすると共に、枠体１側に引き寄せて気密性を確保するようにしている。
【００３１】
次に、火災が発生した際に框材の反りを抑制するための構造について詳細に説明する。火災が発生してサッシが高温に晒されると、框体３を構成している各框材はアルミニウムからなるため、熱伸びが発生すると共に、反りも発生して、枠体１との間に隙間を生じる可能性がある。前述のように、戸先側縦框２３については、締まり部品１３ｄと出没部２３ｄの係止により、戸先側縦枠１３側に引き寄せられているから、それ以外の上框２０と下框２１及び吊り元側縦框２２について、枠体１側に引き寄せる必要がある。
【００３２】
図４には、上枠１０中央部の拡大縦断面図を示している。この図に示すように、上枠１０の内周面部１０ａには、上反り抑制部品３０が設けられる。図１に示すように、上反り抑制部品３０は、上枠１０の長手方向長さよりも短い短尺状であって、上枠１０の長手方向中央部に配置されている。
【００３３】
図４に示すように、上反り抑制部品３０は、薄板を折り曲げたような形状を有しており、上枠１０の内周面部１０ａに当接してネジ止め固定される固定部３１と、固定部３１の室内側端部から内周側に向かって突出する反り抑制部３２とを有して構成されている。反り抑制部３２は、根元側から先端側にかけて室外側に向かう傾斜面状とされている。また、反り抑制部３２を構成する傾斜面が、上框２０の突出部２０ｃと対向するように配置されている。ここで、反り抑制部３２は、障子２を開閉させた際に、障子２と接触しない、すなわち干渉しないように形成されている。
【００３４】
上枠１０に設けられる気密材１０ｃには、通常時において上框２０の突出部２０ｃに対して当接する部分から、外周側に向かって突出する延出ヒレ部１０ｄが形成されている。延出ヒレ部１０ｄは、通常時には上框２０には当接していない。
【００３５】
図５には、火災発生時の状態における上枠１０中央部の拡大縦断面図を示している。この図に示すように、サッシが高温に晒されると、上框２０が上枠１０の内周面に接近する。このとき、上框２０の突出部２０ｃ先端が反り抑制部３２に突き当たる。反り抑制部３２は、根元側から先端側にかけて室外側に向かう傾斜面状であるから、上框２０は室内側に引き寄せられ、框体３の上辺において反りが生じて屈曲することを防止することができる。
【００３６】
上枠１０の気密材１０ｃは、火災発生時においても上框２０に対して当接した状態を維持する。そのために、上框２０の室内側面は、突出部２０ｃ及びその内周側が面一状となっており、上框２０が上枠１０の内周面側に移動した場合でも、図５のように気密材１０ｃが上框２０の室内側面に当接した状態を維持できる。また、上框２０が上枠１０の内周面側に移動すると、気密材１０ｃの延出ヒレ部１０ｄが上框２０の突出部２０ｃに当接し、ここでも気密材１０ｃの上框２０に対する当接を確保できる。これらにより、火災発生時にも確実に気密材１０ｃが上框２０に当接し、隙間を発生させないようにすることができる。
【００３７】
図６には、上枠１０端部の拡大縦断面図を示している。この図に示すように、上枠１０の端部付近の内周面部１０ａには、上戸先反り抑制部品４０が設けられる。図１に示すように、上戸先反り抑制部品４０は、上枠１０の端部付近であって障子２を構成する戸先側縦框２３の端部と対向する位置に配置される。
【００３８】
図６に示すように、上戸先反り抑制部品４０は、上反り抑制部品３０とほぼ同じ形状を有しており、上枠１０の内周面部１０ａに当接してネジ止め固定される固定部４１と、固定部４１の室内側端部から内周側に向かって突出する反り抑制部４２とを有して構成され、反り抑制部４２は、根元側から先端側にかけて室外側に向かう傾斜面状とされると共に、反り抑制部４２を構成する傾斜面は、戸先側縦框２３を構成する室内壁部２３ｆ（図３参照）と対向するように配置されている。上戸先反り抑制部品４０の反り抑制部４２も、障子２を開閉させた際に、障子２と干渉しないように形成されている。
【００３９】
サッシが高温に晒されて戸先側縦框２３が上枠１０の内周面に接近すると、戸先側縦框２３の室内壁部２３ｆが反り抑制部４２に突き当たり、室内側に引き寄せられるから、框体３の上辺及び戸先側辺において反りが生じて屈曲することを防止することができる。
【００４０】
図７には、下枠１１中央部の拡大縦断面図を示している。この図に示すように、下框２１の外周面部２１ｂには、下反り抑制部品３５が設けられる。図１に示すように、下反り抑制部品３５は、下框２１の長手方向長さよりも短い短尺状であって、下框２１の長手方向中央部に配置されている。
【００４１】
図７に示すように、下反り抑制部品３５は、下框２１の外周面部２１ｂに当接してネジ止め固定される固定部３６と、固定部３６の室内側端部から外周側に向かって突出する反り抑制部３７とを有して構成されている。反り抑制部３７は、根元側から先端側にかけて室内側に向かう傾斜面状とされている。また、反り抑制部３７を構成する傾斜面が、下枠１１の突出部１１ｄと対向するように配置されている。下框２１の反り抑制部３７も、障子２を開閉させた際に、枠体１と干渉しないように形成されている。
【００４２】
下枠１１に設けられる気密材１１ｃにおいても、通常時において下框２１の突出部２１ｃに対して当接する部分から、外周側に向かって突出する延出ヒレ部１１ｅが形成されている。延出ヒレ部１１ｅは、通常時には下框２１には当接していない。
【００４３】
図８には、火災発生時の状態における下枠１１中央部の拡大縦断面図を示している。この図に示すように、サッシが高温に晒されると、下框２１が下枠１１の内周面に接近する。このとき、下枠１１の突出部１１ｄが反り抑制部３７に突き当たる。反り抑制部３７は、根元側から先端側にかけて室外側に向かう傾斜面状であるから、下框２１は室内側に引き寄せられ、框体３の下辺において反りが生じて屈曲することを防止することができる。
【００４４】
下枠１１の気密材１１ｃは、火災発生時においても下框２１に対して当接した状態を維持する。そのために、下框２１の室内側面は、突出部２１ｃ及びその内周側が面一状となっており、下框２１が下枠１１の内周面側に移動した場合でも、図８のように気密材１１ｃが下框２１の室内側面に当接した状態を維持できる。また、下框２１が下枠１１の内周面側に移動すると、気密材１１ｃの延出ヒレ部１１ｅが下框２１の突出部２１ｃに当接し、ここでも気密材１１ｃの下框２１に対する当接を確保できる。これらにより、火災発生時にも確実に気密材１１ｃが下框２１に当接し、隙間を発生させないようにすることができる。
【００４５】
図９には、下枠１１端部の拡大縦断面図を示している。この図に示すように、下枠１１の端部付近の内周面部１１ａには、下戸先反り抑制部品４５が設けられる。図１に示すように、下戸先反り抑制部品４５は、下枠１１の端部付近であって障子２を構成する戸先側縦框２３の端部と対向する位置に配置される。
【００４６】
図９に示すように、下戸先反り抑制部品４５は、下枠１１の突出部１１ｄ及び室内起立面部１１ｂに対してそれぞれ当接しネジ止め固定される固定部４６と、固定部４６から内周側に向かって突出する反り抑制部４７とを有して構成され、反り抑制部４７は、根元側から先端側にかけて室外側に向かう傾斜面状とされると共に、反り抑制部４７を構成する傾斜面は、戸先側縦框２３を構成する室内壁部２３ｆ（図３参照）と対向するように配置されている。下戸先反り抑制部品４５の反り抑制部４７も、障子２を開閉させた際に、障子２と干渉しないように形成されている。
【００４７】
サッシが高温に晒されて戸先側縦框２３が下枠１１の内周面に接近すると、戸先側縦框２３の室内壁部２３ｆが反り抑制部４７に突き当たり、室内側に引き寄せられるから、框体３の下辺及び戸先側辺において反りが生じて屈曲することを防止することができる。
【００４８】
図１０には、吊り元側縦枠１２付近拡大横断面図を示している。この図に示すように、吊り元側縦枠１２の内周面部１２ａには、縦反り抑制部品５０が設けられる。図１に示すように、縦反り抑制部品５０は、吊り元側縦枠１２の長手方向長さよりも短い短尺状であって、吊り元側縦枠１２の長手方向に沿って３か所に配置されている。
【００４９】
図１０に示すように、縦反り抑制部品５０は、吊り元側縦枠１２の内周面部１２ａに当接してネジ止め固定される固定部５１と、固定部５１の室内側端部から内周側に向かって突出する反り抑制部５２とを有して構成されている。縦反り抑制部品５０は断面略Ｌ字状となるように形成されており、反り抑制部５２は、固定部５１から略垂直に伸びている。この反り抑制部５２は、吊り元側縦框２２の突出部２２ｃと見込方向において室外側に隣接する位置に配置されている。縦反り抑制部品５０の反り抑制部５２も、障子２を開閉させた際に、枠体１と干渉しないように形成されている。
【００５０】
縦枠１２に設けられる気密材１２ｃにおいても、通常時において縦框２２の突出部２２ｃに対して当接する部分から、外周側に向かって突出する延出ヒレ部１２ｄが形成されている。延出ヒレ部１２ｄは、通常時には縦框２２には当接していない。
【００５１】
図１１には、火災発生時の状態における吊り元側縦枠１２付近拡大横断面図を示している。この図に示すように、サッシが高温に晒されると、吊り元側縦框２２が吊り元側縦枠１２の内周面に接近する。このとき、吊り元側縦框２２の突出部２２ｃは、反り抑制部５２の室内側に隣接した位置に来るため、突出部２２ｃが反り抑制部５２よりも室外側に移動しないように規制される。これにより、框体３の吊り元側辺において反りが生じて屈曲することを防止することができる。
【００５２】
また、吊り元側縦枠１２には、図１に示すように両端部を含む長手方向３か所に縦反り抑制部品５０が設けられるから、縦方向の框材が横方向の框材より長い本実施形態のサッシにおいて、吊り元側辺で枠体１と障子２の間に隙間が生じることを確実に防止することができる。
【００５３】
火災発生時において、縦框２２が縦枠１２の内周面側に移動すると、気密材１２ｃの延出ヒレ部１２ｄが縦框２２の突出部２２ｃに当接し、ここでも気密材１２ｃの縦框２２に対する当接を確保できる。また、縦框２２の室内側面は面一状であるから、気密材１２ｃ本体の当接状態も維持される。これらにより、火災発生時にも確実に気密材１２ｃが縦框２２に当接し、隙間を発生させないようにすることができる。
【００５４】
このように、枠体１の内周面と框体３の外周面との間に、吊り元側辺及びそれと直交する二辺である上下辺に、それぞれ短尺状の反り抑制部を設けて、反り抑制部は障子２の開閉に干渉しないように形成されると共に、サッシが高温に晒されて框体３を構成する框材が対向する枠体１の内周面に接近したときに、框材を室内側に引き寄せることにより、障子２の戸先側辺だけでなく全ての辺において、熱伸びに伴う反りを防止することができ、枠体１と障子２の間に隙間が生じることを防止して防火性能を向上させることができる。
【００５５】
また、上下辺においては戸先側端部付近に、框体３の戸先側辺を構成する戸先側縦框２３の両端部とそれぞれ対向する位置に上戸先反り抑制部品４０と下戸先反り抑制部品４５を設け、それぞれ反り抑制部を形成したことにより、戸先側上下端部において障子の引き寄せをなし、上下辺と戸先側辺の三辺に対し、効果的に反りを防止することができる。さらに、反り抑制部は、いずれも小片状の反り抑制部品に形成されているので、低コストに引き寄せ構造を構成することができる。
【００５６】
以上、本発明の実施形態について説明したが、本発明の適用は本実施形態には限られず、その技術的思想の範囲内において様々に適用されうるものである。本実施形態では縦辷り出し窓サッシについて本発明を適用したものを示したが、窓の種類はこれに限られず、横辷り出し窓や開き窓、外倒し窓や突き出し窓など、障子が開閉自在な窓であれば、本発明を適用することができる。本実施形態のような縦辷り出し窓では、左右の縦辺が吊り元側辺及び戸先側辺となるが、例えば横辷り出し窓であれば、上下辺が吊り元側辺及び戸先側辺となる。各反り抑制部の数及び配置についても、本実施形態の例には限られない。
【００５７】
また、本実施形態では、上枠１０の中央部と戸先側端部、下枠１０の戸先側端部、吊り元側縦枠１２において、各枠材に反り抑制部を設け、下框２１の中央部において框材に反り抑制部を設けたが、枠体１側と框体３側のいずれに反り抑制部を設けるかは、各箇所において適宜選択することが可能である。
【００５８】
さらには、障子２の引き寄せに用いる上反り抑制部品３０と下反り抑制部品３５、上戸先反り抑制部品４０、下戸先反り抑制部品４５、及び縦反り抑制部品５０は、サッシの施工の際に最初から設けられていてもよいし、既設のサッシに対しリフォームなどの際、後からこれらの部品を取付けるようにしてもよい。
【符号の説明】
【００５９】
１    枠体
２    障子
３    框体
４    パネル体
５    ハンドル
１０    上枠
１１    下枠
１２    吊り元側縦枠
１３    戸先側縦枠
１３ｄ  締まり部品
２０    上框
２０ｃ  突出部
２１    下框
２１ｃ  突出部
２２    吊り元側縦框
２２ｃ  突出部
２３    戸先側縦框
３０    上反り抑制部品
３１    固定部
３２    反り抑制部
３５    下反り抑制部品
３６    固定部
３７    反り抑制部
４０    上戸先反り抑制部品
４１    固定部
４２    反り抑制部
４５    下戸先反り抑制部品
４６    固定部
４７    反り抑制部
５０    縦反り抑制部品
５１    固定部
５２    反り抑制部
【図１】
0005938767.tif 000002
【図２】
0005938767.tif 000003
【図３】
0005938767.tif 000004
【図４】
0005938767.tif 000005
【図５】
0005938767.tif 000006
【図６】
0005938767.tif 000007
【図７】
0005938767.tif 000008
【図８】
0005938767.tif 000009
【図９】
0005938767.tif 000010
【図１０】
0005938767.tif 000011
【図１１】
0005938767.tif 000012